(57)【要約】【課題】  電力系統の映像情報の送信時間の遅延を軽減することができる電力監視制御システム、電力監視制御装置、電力監視制御装置用プログラムおよび電力監視制御方法を提供する。【解決手段】  通信中継部３ｍにより観測されたトラフィックに基づき、記憶部４ｍに記憶された対象エリアの電力系統の映像情報をデータ圧縮して圧縮映像情報を作成し、圧縮映像情報を符号化して通信中継部３ｍを介して通信回線９に送信する伝送制御部６ｍと、を有する電力監視制御装置２ｍと、電力監視制御装置２ｍの伝送制御部６ｍから送信された、符号化された圧縮映像情報を復号化する復号化部５ａと、復号化部５ａにより復号化された、圧縮映像情報を表示する表示部７ａと、を有する電力監視制御装置２ａと、を備える。【選択図】  図１
2019103368.tif 000002
【特許請求の範囲】
【請求項１】
通信回線に接続され、前記通信回線のトラフィックの観測を行うとともに前記通信回線を介してデータの送受信を行う第１の通信中継部と、
対象エリアの電力系統の映像情報を記憶する記憶部と、
前記第１の通信中継部により観測されたトラフィックに基づき、前記記憶部に記憶された前記映像情報をデータ圧縮して圧縮映像情報を作成し、前記圧縮映像情報を符号化して前記第１の通信中継部を介して前記通信回線に送信する伝送制御部と、
を有する第１の電力監視制御装置と、
前記通信回線に接続され、前記通信回線を介してデータの送受信を行う第２の通信中継部と、
前記第２の通信中継部を介し受信した、前記第１の電力監視制御装置の前記伝送制御部から送信された前記圧縮映像情報を復号化する復号化部と、
前記復号化部により復号化された前記圧縮映像情報を表示する表示部と、
を有する第２の電力監視制御装置と、
を備えた電力監視制御システム。
【請求項２】
前記第２の電力監視制御装置は、
前記圧縮映像情報の解像度が入力される入力部を有し、
前記第２の通信中継部は前記入力部により入力された前記解像度を前記通信回線を介して送信し、
前記第１の電力監視制御装置の、
前記第１の通信中継部は、前記通信回線に送信された前記解像度を受信し、
前記解像度に基づき前記映像情報を圧縮したデータが前記トラフィックの余裕度以内である場合、前記伝送制御部は、前記解像度に基づき対象エリアの電力系統の前記映像情報をデータ圧縮して前記圧縮映像情報を作成し、前記圧縮映像情報を符号化して前記第１の通信中継部を介して前記通信回線に送信する、
請求項１に記載の電力監視制御システム。
【請求項３】
前記第２の電力監視制御装置の、
前記入力部は、複数のエリアの電力系統のうち対象となるエリアを指定するコマンドが入力され、
前記第２の通信中継部は、前記コマンドを前記通信回線を介して送信し、
前記第１の電力監視制御装置の、
前記記憶部は、複数のエリアの電力系統の映像情報を記憶し、
前記伝送制御部は、前記第１の通信中継部を介して受信した前記コマンドに基づき、前記記憶部に記憶された複数のエリアの電力系統のうち対象となるエリアの電力系統の前記映像情報をデータ圧縮して圧縮映像情報を作成し、前記圧縮映像情報を符号化して前記第１の通信中継部を介して前記通信回線に送信する、
請求項２に記載の電力監視制御システム。
【請求項４】
前記第１の電力監視制御装置の前記第１の通信中継部、前記記憶部、および前記伝送制御部は、ローカルエリアネットワークを介して接続され、
前記第２の電力監視制御装置の前記第２の通信中継部および前記復号化部は、ローカルエリアネットワークを介して接続された、
請求項１乃至３のいずれか１項に記載の電力監視制御システム。
【請求項５】
通信回線に接続され、前記通信回線のトラフィックの観測を行うとともに、前記通信回線を介してデータの送受信を行う通信中継部と、
対象エリアの電力系統の映像情報を記憶する記憶部と、
前記通信中継部により観測されたトラフィックに基づき、前記記憶部に記憶された前記映像情報をデータ圧縮して圧縮映像情報を作成し、前記圧縮映像情報を符号化して前記第１の通信中継部を介して前記通信回線に送信する伝送制御部と、
を有する送信側電力監視制御装置。
【請求項６】
前記通信中継部は、受信側電力監視制御装置から前記通信回線に送信された解像度を受信し、
前記解像度に基づき前記映像情報を圧縮したデータが前記トラフィックの余裕度以内である場合、前記伝送制御部は、前記解像度に基づき、前記映像情報をデータ圧縮して前記圧縮映像情報を作成し、前記圧縮映像情報を符号化して前記第１の通信中継部を介して前記通信回線に送信する、
請求項５に記載の送信側電力監視制御装置。
【請求項７】
前記記憶部は複数のエリアの電力系統の映像情報を記憶し、
前記通信中継部は、受信側電力監視制御装置から前記通信回線に送信された、前記複数のエリアの電力系統のうち対象となるエリアを指定するコマンドを受信し、
前記伝送制御部は、前記コマンドに基づき、前記記憶部に記憶された前記指定エリアの電力系統の前記映像情報をデータ圧縮して圧縮映像情報を作成し、前記圧縮映像情報を符号化して前記第１の通信中継部を介して前記通信回線に送信する、
請求項５または６に記載の送信側電力監視制御装置。
【請求項８】
対象エリアの電力系統の映像情報の解像度が入力される入力部と、
前記入力部に入力された対象エリアの電力系統の映像情報の前記解像度を通信回線介して送信側電力監視制御装置に送信し、前記解像度または前記通信回線のトラフィックに基づき圧縮され符号化された前記電力系統の圧縮映像情報を前記送信側電力監視制御装置から前記通信回線を介して受信する通信中継部と、
前記通信中継部にて受信した前記圧縮映像情報を復号化する復号化部と、
前記復号化部により復号化された前記圧縮映像情報を表示する表示部と、
を有する受信側電力監視制御装置。
【請求項９】
対象エリアの電力系統の映像情報の前記解像度は、圧縮映像情報の解像度、前記圧縮映像情報と受信側電力監視制御装置にかかる映像情報との表示の配置の少なくとも一方により入力部から入力される、
請求項８に記載の受信側電力監視制御装置。
【請求項１０】
前記復号化部により復号化された前記圧縮映像情報、および受信側電力監視制御装置にかかる映像情報が、前記表示部に表示される、
請求項８または９に記載の受信側電力監視制御装置。
【請求項１１】
通信回線に接続された通信中継部により前記通信回線のトラフィックの観測を行う第１のステップと、
前記第１のステップにて観測されたトラフィックに基づき記憶部に記憶された対象エリアの電力系統の映像情報をデータ圧縮して圧縮映像情報を作成する第２のステップと、
前記第２のステップにて作成された前記圧縮映像情報を符号化して前記通信中継部を介して前記通信回線に送信する第３のステップと、
を有する送信側電力監視制御装置用プログラム。
【請求項１２】
通信回線に接続された通信中継部により前記通信回線のトラフィックの観測を行う第１の手順と、
前記第１の手順にて観測されたトラフィックに基づき記憶部に記憶された対象エリアの電力系統の映像情報をデータ圧縮して圧縮映像情報を作成する第２の手順と、
前記第２の手順にて作成された前記圧縮映像情報を符号化して前記通信中継部を介して前記通信回線に送信する第３の手順と、
を有する送信側電力監視制御方法。
【発明の詳細な説明】
【技術分野】
【０００１】
本実施形態は電力系統の監視を行う電力監視制御システム、電力監視制御装置、電力監視制御装置用プログラムおよび電力監視制御方法に関する。
【背景技術】
【０００２】
電力を安定供給するために電力系統に電力監視制御システムが設置される。この種の電力監視制御システムとしては、電力系統に設置された各受配電設備機器および電力系統の状態を表示する電力監視制御システムが知られている。
【先行技術文献】
【特許文献】
【０００３】
【特許文献１】特開２０１６−０２５７９９公報
【特許文献２】特開２００２−２３３０８２公報
【特許文献３】特開２０００−０４８９６９公報
【発明の概要】
【発明が解決しようとする課題】
【０００４】
電力監視制御システムは、電力を安定供給するため、電力系統に設置された各受配電設備および電力系統の状態を検出し、系統情報として表示する。電力系統における開閉器、遮断器等の受配電設備、電力系統の電圧、電流等の状態を示す系統情報が、電力監視制御システムのエリア毎に設置された電力監視制御装置に、電力系統の映像情報として逐次記憶され表示される。
【０００５】
電力系統または受配電設備の故障が検出された場合も、この電力系統の映像情報が、電力監視制御システムのエリア毎に設置された電力監視制御装置に記憶、表示される。
【０００６】
しかしながら、大規模な故障の場合、広域における電力系統または受配電設備にかかる電力系統の映像情報に基づき、故障対策を行うことが必要とされ、エリア毎に設置された電力監視制御装置に記憶された電力系統の映像情報のみでは不十分である場合がある。
【０００７】
また、エリア毎に設置された電力監視制御装置は、無人運転されている場合がある。エリア毎に設置された電力監視制御装置間は、離間した場所に設置されており、作業者が、遠方に設置された対象となる電力監視制御装置を直接操作するために、多大な移動時間を要する場合もある。
【０００８】
このため、一つのエリアに設置された電力監視制御装置に記憶された電力系統の映像情報が、他のエリアに設置された電力監視制御装置に通信にて転送される。電力系統の映像情報の転送は、インターネット等の通信回線を介して行われる。
【０００９】
しかしながら、インターネット等の通信回線における通信では、通信回線を占有している通信量、いわゆるトラフィックの状況に応じ、通信可能なデータ量が制限される。このため、電力系統の映像情報が、通信可能なデータ量であるトラフィック余裕度を超えるデータ量を有する場合、通信に多大な遅延時間を要する場合があるとの問題点があった。
【００１０】
電力系統または受配電設備の故障の復旧は、迅速に行われることが望ましい。この通信による多大な遅延時間は、電力系統または受配電設備の故障の復旧に不測の遅延をもたらし、望ましくない。
【００１１】
特に、震災発生時には、電力系統または受配電設備の故障が多発する傾向がある。さらに震災発生時には、インターネット等の通信回線におけるトラフィックが混雑する傾向にあり、通信可能なデータ量が制限される可能性がある。このような場合にも、電力系統または受配電設備の故障の復旧が迅速に行われることが望ましく、電力系統の映像情報の送信が、迅速に行われることが望ましい。
【００１２】
電力監視制御装置は、一つのエリアに設置された電力監視制御装置内のローカル通信線（ＬＡＮ）を介し、大型系統表示装置により構成された系統監視盤に電力系統の映像情報を表示することを前提としている。このため電力系統の映像情報のデータサイズは、大きなものとなっている。広域ネットワークを介してデータサイズの大きい電力系統の映像情報の通信を行った場合、通信量の大きさに起因した送信時間の遅延により、描画の遅延が発生し、電力系統の監視制御に支障をきたす可能性がある。
【００１３】
本実施形態は、上記問題点を解決するために、電力系統の映像情報の送信時間の遅延を軽減することができる電力監視制御システム、電力監視制御装置、電力監視制御装置用プログラムおよび電力監視制御方法を提供することを目的とする。
【課題を解決するための手段】
【００１４】
本実施形態の電力監視制御システムは、次のような構成を有することを特徴とする。
（１）次のような構成を備えた第１の電力監視制御装置。
（１−１）通信回線に接続され、前記通信回線のトラフィックの観測を行うとともに、前記通信回線とデータの送受信を行う第１の通信中継部。
（１−２）対象エリアの電力系統の映像情報を記憶する記憶部。
（１−３）前記第１の通信中継部により観測されたトラフィックに基づき、前記記憶部に記憶された対象エリアの電力系統の前記映像情報をデータ圧縮して圧縮映像情報を作成し、前記圧縮映像情報を符号化して前記第１の通信中継部を介して前記通信回線に送信する伝送制御部。
【００１５】
（２）次のような構成を備えた第２の電力監視制御装置。
（２−１）前記通信回線に接続され、前記通信回線とデータの送受信を行う第２の通信中継部。
（２−２）前記第２の通信中継部を介し受信した、前記第１の電力監視制御装置の前記伝送制御部から送信された、符号化された前記圧縮映像情報を復号化する復号化部。
（２−３）前記復号化部により復号化された、前記圧縮映像情報を表示する表示部。
また、上記の特徴を有する電力監視制御装置、電力監視制御装置用プログラムおよび電力監視制御方法も本実施形態に含まれる。
【図面の簡単な説明】
【００１６】
【図１】第１実施形態にかかる電力監視制御システムを示す図
【図２】第１実施形態にかかる電力監視制御装置の共通の構成を示す図
【図３】第１実施形態にかかる送信側電力監視制御装置の構成を示す図
【図４】第１実施形態にかかる受信側電力監視制御装置の構成を示す図
【図５】第１実施形態にかかる受信側電力監視制御装置に記憶された解像度パターンテーブルの構成を示す図
【図６】第１実施形態にかかる受信側電力監視制御装置の入力部の構成を示す図
【図７】第１実施形態にかかる受信側電力監視制御装置の入力部のプログラムフローを示す図
【図８】第１実施形態にかかる送信側電力監視制御装置の伝送制御部のプログラムフローを示す図
【図９】第１実施形態にかかる受信側電力監視制御装置の復号化部のプログラムフローを示す図
【図１０】他の実施形態にかかる受信側電力監視制御装置の入力部から入力されるデータの構成を示す図
【発明を実施するための形態】
【００１７】
［１．第１実施形態］
［１−１．構成］
図１〜５を参照して本実施形態の一例としての電力監視制御システムについて説明する。本実施形態では、一例として電力監視制御装置２ｍは、バックアップ用の装置として使用され、電力監視制御装置２ａが電力監視制御装置２ｍに記憶された映像情報Ｄ１にかかる圧縮映像情報Ｄ２を表示する場合について説明する。
【００１８】
（１）電力監視制御システム１の全体構成
電力監視制御システム１の全体構成を図１に示す。本電力監視制御システム１は、４つの電力監視制御装置２（２ｍ、２ａ、２ｂ、２ｃ）を有する。電力監視制御装置２（２ｍ、２ａ、２ｂ、２ｃ）は、通信回線９を介し、相互に接続される。電力監視制御装置２ｍを、第１の電力監視制御装置または送信側電力監視制御装置と、電力監視制御装置２ａを、第２の電力監視制御装置または受信側電力監視制御装置と呼ぶ場合がある。
【００１９】
電力監視制御装置２ｍ、２ａ、２ｂ、２ｃは同じ構成であってもよいが、以下に説明するように電力監視制御装置２ｍ、２ａが、一部において固有の構成を有するものであってもよい。
【００２０】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。
【００２１】
以下に電力監視制御装置２ｍ、２ａが、一部において固有の構成を有する電力監視制御システム１の構成について説明する。
【００２２】
電力監視制御システム１において、以下のデータが、入力、出力、送受信または記憶される。
映像情報Ｄ１
（電力監視制御装置２ａの電力系統の映像情報Ｄ１ａ）
（電力監視制御装置２ｂの電力系統の映像情報Ｄ１ｂ）
（電力監視制御装置２ｃの電力系統の映像情報Ｄ１ｃ）
圧縮映像情報Ｄ２
（電力監視制御装置２ａの圧縮映像情報Ｄ２ａ）
（電力監視制御装置２ｂの圧縮映像情報Ｄ２ｂ）
（電力監視制御装置２ｃの圧縮映像情報Ｄ２ｃ）
トラフィック監視情報Ｔ１
リクエストエリアコマンドＣ１
解像度指定コマンドＣ２
【００２３】
（電力監視制御装置２）
電力監視制御装置２は、マイクロコンピュータ等により構成された装置である。電力監視制御装置２は、電力系統の監視制御を行う給電指令所、系統制御所、集中制御所、変電所などの指令室、訓練室などに設置される。
【００２４】
電力監視制御装置２は、対象エリアの電力系統に設置された各受配電設備および電力系統の状態を検出し、系統情報として表示する。電力監視制御装置２は、対象エリアの電力系統における開閉器、遮断器等の受配電設備、電力系統の電圧、電流等の状態を示す系統情報が入力され、電力系統の映像情報として逐次記憶し表示を行う。
【００２５】
電力監視制御装置２ａは、対象エリアａに設置された受配電設備（図中不示）から受配電設備および電力系統の状態を受信し、対象エリアａの電力系統の映像情報Ｄ１ａを逐次記憶するとともに表示する。同様に電力監視制御装置２ｂは、対象エリアｂの電力系統の映像情報Ｄ１ｂを、電力監視制御装置２ｃは、対象エリアｃの電力系統の映像情報Ｄ１ｃを、逐次記憶するとともに表示する。
【００２６】
電力監視制御装置２ｍは、バックアップ用の装置として使用される。電力監視制御装置２ｍは、通信回線９を介し、電力監視制御装置２ａに記憶された映像情報Ｄ１ａ、電力監視制御装置２ｂに記憶された映像情報Ｄ１ｂ、電力監視制御装置２ｃに記憶された映像情報Ｄ１ｃを逐次受信し、記憶する。また、電力監視制御装置２ａからの送信要求に応じ、映像情報Ｄ１ｂ、映像情報Ｄ１ｃを圧縮し、通信回線９を介し電力監視制御装置２ａに送信する。
【００２７】
（電力監視制御装置２ｍ、２ａ、２ｂ、２ｃ共通の構成）
電力監視制御装置２ｍ、２ａ、２ｂ、２ｃにおける共通部分の構成を図２に示す。電力監視制御装置２は、通信中継部３、記憶部４、復号化部５、伝送制御部６、表示部７、入力部８を有する。通信中継部３、記憶部４、復号化部５、伝送制御部６、表示部７、入力部８はローカル通信線１１に接続され相互に送受信を行う。
【００２８】
（通信中継部３）
通信中継部３は、いわゆるル−ターにより構成された通信装置である。通信中継部３は、インターネット等の通信回線に対応した送受信回路により構成される。通信中継部３は、一方がインターネット等の通信回線９に、他方が電力監視制御装置２の内部のローカル通信線１１に接続される。通信中継部３は、電力監視制御装置２の内部、または電力監視制御装置２が設置された配電室等に配置される。
【００２９】
通信中継部３は、通信回線９と電力監視制御装置２の内部のローカル通信線１１との通信の中継を行う。また、通信中継部３は、通信回線９のトラフィックの状況を観測する。
【００３０】
（記憶部４）
記憶部４は、いわゆるサーバーにより構成された通信装置である。記憶部４は、半導体メモリやハードディスクのような記憶媒体にて構成される。記憶部４は、電力監視制御装置２の内部のローカル通信線１１に接続される。記憶部４は、電力監視制御装置２の内部、または電力監視制御装置２が設置された配電室等に配置される。
【００３１】
記憶部４は、対象エリアの電力系統における開閉器、遮断器等の受配電設備、電力系統の電圧、電流等の状態を示す系統情報に基づく電力系統の映像情報Ｄ１を記憶する。
【００３２】
（復号化部５）
復号化部５は、いわゆる映像デコーダにより構成された表示制御装置である。復号化部５は、表示制御回路を有するマイクロコンピュータ等により構成される。復号化部５は、入力側がローカル通信線１１に、出力側が電力監視制御装置２の表示部７に接続される。復号化部５は、配電室等の表示部７の近傍に配置される。
【００３３】
復号化部５は、記憶部４に符号化され記憶された、対象エリアの電力系統における開閉器、遮断器等の受配電設備、電力系統の電圧、電流等の状態を示す系統情報に基づく電力系統の映像情報Ｄ１を復号化し、表示部７に表示させる。
【００３４】
（伝送制御部６）
伝送制御部６は、いわゆる映像エンコーダにより構成された制御装置である。伝送制御部６は、送受信回路を有するマイクロコンピュータ等により構成される。伝送制御部６は、ローカル通信線１１に接続される。伝送制御部６は、電力監視制御装置２の内部、または電力監視制御装置２が設置された配電室等に配置される。
【００３５】
伝送制御部６は、記憶部４に記憶された、対象エリアの電力系統における開閉器、遮断器等の受配電設備、電力系統の電圧、電流等の状態を示す系統情報に基づく電力系統の映像情報Ｄ１をインターネット等により構成された通信回線９用の信号に符号化し、通信中継部３を介し通信回線９に送信する。
【００３６】
（表示部７）
表示部７は、複数の液晶パネルにより構成された表示装置である。表示部７は、１６枚の表示器７０１〜７１６により構成される。表示部７は、復号化部５に接続される。表示部７は、配電室等に配置された復号化部５の近傍に設置される。
【００３７】
表示部７は、復号化部５により復号化された、対象エリアの電力系統における開閉器、遮断器等の受配電設備、電力系統の電圧、電流等の状態を示す系統情報に基づく電力系統の映像情報Ｄ１を表示する。
【００３８】
（入力部８）
入力部８は、キーボードやマウス等の操作部とＣＲＴ等の表示部が組み合わされた入力装置である。入力部８は、ローカル通信線１１に接続される。入力部８は、配電室等に設置された表示部７の近傍に配置される。入力部８は、作業者により操作され、各種コマンドが入力される。
【００３９】
（ローカル通信線１１）
ローカル通信線１１は、専用通信線または社内イントラネットのような特定エリアに設けられた通信線である。ローカル通信線１１により、通信中継部３、記憶部４、復号化部５、伝送制御部６、入力部８間相互でデータの送受信が行われる。
【００４０】
［電力監視制御装置２ｍ固有の構成］
電力監視制御装置２ｍの構成を図３に示す。電力監視制御装置２ｍは、伝送制御部６に固有の構成を有する。電力監視制御装置２ｍの伝送制御部６ｍは、送受信部６１、受信部６２、記憶部６３、制御部６４を有する。
【００４１】
前述のとおり伝送制御部６ｍは、送受信回路を有するマイクロコンピュータ等により構成される。伝送制御部６ｍの送受信部６１、受信部６２、記憶部６３、制御部６４は、マイクロコンピュータを構成する各部により実現される。
【００４２】
（送受信部６１）
送受信部６１は、伝送制御部６ｍを構成するマイクロコンピュータの通信ポート等により構成される。送受信部６１は、ローカル通信線１１ｍに接続される。送受信部６１は、ローカル通信線１１ｍを介し通信中継部３ｍとの間で、データの送受信を行う。送受信部６１のデータの送受信動作は、制御部６４により制御される。
【００４３】
送受信部６１は、ローカル通信線１１ｍを介し通信中継部３ｍから送信された以下の信号を受信する。
トラフィック監視情報Ｔ１
【００４４】
トラフィック監視情報Ｔ１は、以下の情報を含む。
受信トラフィックＴ１１
送信トラフィックＴ１２
受信トラフィックの使用率Ｔ１３
送信トラフィックの使用率Ｔ１４
送受信トラフィックの合計使用率Ｔ１５
エラーレートＴ１６
廃棄レートＴ１７
【００４５】
また、送受信部６１は、通信回線９、通信中継部３ｍ、ローカル通信線１１ｍを介し電力監視制御装置２ａから送信された以下の信号を受信する。
リクエストエリアコマンドＣ１
解像度指定コマンドＣ２
【００４６】
リクエストエリアコマンドＣ１とは、圧縮映像情報Ｄ２の送信をリクエストする、対象となる電力監視制御装置２ａ、２ｂ、２ｃを区別するコマンドである。解像度指定コマンドＣ２とは、圧縮映像情報Ｄ２の解像度を指定するコマンドである。
【００４７】
送受信部６１は、ローカル通信線１１ｍ、通信中継部３ｍ、通信回線９を介し電力監視制御装置２ａに以下の信号を送信する。
圧縮映像情報Ｄ２
（電力監視制御装置２ａの圧縮映像情報Ｄ２ａ）
（電力監視制御装置２ｂの圧縮映像情報Ｄ２ｂ）
（電力監視制御装置２ｃの圧縮映像情報Ｄ２ｃ）
【００４８】
（受信部６２）
受信部６２は、伝送制御部６ｍを構成するマイクロコンピュータの通信ポート等により構成される。受信部６２は、ローカル通信線１１ｍに接続される。受信部６２は、ローカル通信線１１ｍを介し記憶部４ｍからデータを受信し、制御部６４に出力する。受信部６２のデータの受信動作は、制御部６４により制御される。
【００４９】
受信部６２は、ローカル通信線１１ｍを介し記憶部４ｍから以下の信号を受信する。
映像情報Ｄ１
（電力監視制御装置２ａの電力系統の映像情報Ｄ１ａ）
（電力監視制御装置２ｂの電力系統の映像情報Ｄ１ｂ）
（電力監視制御装置２ｃの電力系統の映像情報Ｄ１ｃ）
【００５０】
（記憶部６３）
記憶部６３は、伝送制御部６ｍを構成するマイクロコンピュータのハードディスクメモリまたは半導体メモリ等により構成される。記憶部６３の記憶動作は、制御部６４により制御される。記憶部６３は、受信部６２により記憶部４ｍから受信したデータを一時保存する。
【００５１】
記憶部６３は、受信部６２により記憶部４ｍから受信した以下のデータを一時保存する。
映像情報Ｄ１
（電力監視制御装置２ａの電力系統の映像情報Ｄ１ａ）
（電力監視制御装置２ｂの電力系統の映像情報Ｄ１ｂ）
（電力監視制御装置２ｃの電力系統の映像情報Ｄ１ｃ）
【００５２】
また、記憶部６３は、制御部６４により演算生成された以下のデータを一時保存する。
圧縮映像情報Ｄ２
（電力監視制御装置２ａの圧縮映像情報Ｄ２ａ）
（電力監視制御装置２ｂの圧縮映像情報Ｄ２ｂ）
（電力監視制御装置２ｃの圧縮映像情報Ｄ２ｃ）
【００５３】
（制御部６４）
制御部６４は、伝送制御部６ｍを構成するマイクロコンピュータのＣＰＵにより構成される。制御部６４は、後述するコンピュータプログラムを内蔵する。制御部６４は、送受信部６１、受信部６２、記憶部６３に接続される。制御部６４は、送受信部６１、受信部６２、記憶部６３に対し、以下の演算および制御を行う。
【００５４】
（Ａ１）送受信部６１に対する制御
制御部６４は、ローカル通信線１１ｍを介し通信中継部３ｍから送信された以下の信号を受信するように送受信部６１を制御する。
トラフィック監視情報Ｔ１
【００５５】
前述のとおりトラフィック監視情報Ｔ１は、以下の情報を含む。
受信トラフィックＴ１１
送信トラフィックＴ１２
受信トラフィックの使用率Ｔ１３
送信トラフィックの使用率Ｔ１４
送受信トラフィックの合計使用率Ｔ１５
エラーレートＴ１６
廃棄レートＴ１７
【００５６】
また、制御部６４は、通信回線９、通信中継部３ｍ、ローカル通信線１１ｍを介し電力監視制御装置２ａから送信された以下の信号を受信するように送受信部６１を制御する。
リクエストエリアコマンドＣ１
解像度指定コマンドＣ２
【００５７】
また、制御部６４は、ローカル通信線１１ｍ、通信中継部３ｍ、通信回線９を介し電力監視制御装置２ａに以下の信号を送信するように送受信部６１を制御する。
圧縮映像情報Ｄ２
（電力監視制御装置２ａの圧縮映像情報Ｄ２ａ）
（電力監視制御装置２ｂの圧縮映像情報Ｄ２ｂ）
（電力監視制御装置２ｃの圧縮映像情報Ｄ２ｃ）
【００５８】
（Ａ２）受信部６２に対する制御
制御部６４は、ローカル通信線１１ｍを介し記憶部４ｍから以下の信号を受信するように受信部６２を制御する。
映像情報Ｄ１
（電力監視制御装置２ａの電力系統の映像情報Ｄ１ａ）
（電力監視制御装置２ｂの電力系統の映像情報Ｄ１ｂ）
（電力監視制御装置２ｃの電力系統の映像情報Ｄ１ｃ）
【００５９】
（Ａ３）記憶部６３に対する制御
制御部６４は、受信部６２により記憶部４ｍから受信した以下のデータを一時保存するように記憶部６３を制御する。
映像情報Ｄ１
（電力監視制御装置２ａの電力系統の映像情報Ｄ１ａ）
（電力監視制御装置２ｂの電力系統の映像情報Ｄ１ｂ）
（電力監視制御装置２ｃの電力系統の映像情報Ｄ１ｃ）
【００６０】
また、制御部６４は、演算生成した以下のデータを一時保存するように記憶部６３を制御する。
圧縮映像情報Ｄ２
（電力監視制御装置２ａの圧縮映像情報Ｄ２ａ）
（電力監視制御装置２ｂの圧縮映像情報Ｄ２ｂ）
（電力監視制御装置２ｃの圧縮映像情報Ｄ２ｃ）
【００６１】
（制御部６４による演算生成）
制御部６４は、以下のデータの演算およびデータ生成を行う。
（ａ）トラフィック余裕度Ｌ１の算出
トラフィック監視情報Ｔ１に基づきトラフィック余裕度Ｌ１を算出する。
トラフィック余裕度Ｌ１（％）＝
１００（％）−送受信トラフィックの合計使用率Ｔ１５（％）  ・・・（式１）
【００６２】
（ｂ）圧縮映像情報Ｄ２の生成
（ｂ１）リクエストエリアコマンドＣ１が電力監視制御装置２ａの圧縮映像情報Ｄ２ａをリクエストする場合：
トラフィック余裕度Ｌ１、解像度指定コマンドＣ２に基づき電力監視制御装置２ａの電力系統の映像情報Ｄ１ａを変換し、圧縮映像情報Ｄ２ａを生成する。
【００６３】
（ｂ２）リクエストエリアコマンドＣ１が電力監視制御装置２ｂの圧縮映像情報Ｄ２ｂをリクエストする場合：
トラフィック余裕度Ｌ１、解像度指定コマンドＣ２に基づき電力監視制御装置２ｂの電力系統の映像情報Ｄ１ｂを変換し、圧縮映像情報Ｄ２ｂを生成する。
【００６４】
（ｃ）リクエストエリアコマンドＣ１が電力監視制御装置２ｃの圧縮映像情報Ｄ２ｃをリクエストする場合：
トラフィック余裕度Ｌ１、解像度指定コマンドＣ２に基づき電力監視制御装置２ｃの電力系統の映像情報Ｄ１ｃを変換し、圧縮映像情報Ｄ２ｃを生成する。
【００６５】
（その他の部分）
電力監視制御装置２ｍの通信中継部３ｍ、記憶部４ｍ、復号化部５ｍ、表示部７ｍ、入力部８ｍ、ローカル通信線１１ｍは、電力監視制御装置２と共通の構成であり、通信中継部３、記憶部４、復号化部５、表示部７、入力部８、ローカル通信線１１と同じである。
【００６６】
［電力監視制御装置２ａ固有の構成］
電力監視制御装置２ａは、対象エリアａに設置された受配電設備（図中不示）からローカル通信線１１ａを介し、受配電設備および電力系統の状態を受信し、対象エリアａの電力系統の映像情報Ｄ１ａを逐次記憶部４ａ記憶するとともに表示部７ａに表示する。
【００６７】
また、電力監視制御装置２ａは、他の対象エリアｂの電力系統の映像情報Ｄ１ｂにかかる圧縮映像情報Ｄ２ｂを電力監視制御装置２ｍから受信し、表示部７ａに表示する。表示部７ａには、対象エリアａの電力系統の映像情報Ｄ１ａと、対象エリアｂの圧縮映像情報Ｄ２ｂが併せて表示される。表示部７ａに表示される映像情報Ｄ１ａと圧縮映像情報Ｄ２ｂの表示の配置は、復号化部５ａにより調整される。
【００６８】
電力監視制御装置２ａの構成を図４に示す。電力監視制御装置２ａは、復号化部５ａ、入力部８ａに固有の構成を有する。電力監視制御装置２ａの復号化部５ａは、記憶部５１を有する。電力監視制御装置２ａの入力部８ａは、操作部８１、送受信部８２、制御部８３を有する。
【００６９】
（記憶部５１）
記憶部５１は、復号化部５ａに設けられたハードディスクメモリまたは半導体メモリ等の記憶装置により構成される。記憶部５１は、復号化部５ａ内に設けられる。記憶部５１は、図５に示す解像度パターンテーブルを記憶する。記憶部５１に記憶された解像度パターンテーブルは、入出力部８ａにより読み出される。
【００７０】
解像度パターンテーブルは記憶部５１に予め設定される。解像度パターンテーブルは、図５に示すように以下の情報がパターン化されたものである。
圧縮映像情報Ｄ２ｂの解像度
映像情報Ｄ１ａと圧縮映像情報Ｄ２ｂの表示の配置
【００７１】
（入力部８ａ）
入力部８ａは、パーソナルコンピュータ等により構成される。入力部８ａは、操作部８１、送受信部８２、制御部８３を有する。操作部８１、送受信部８２、制御部８３は、パーソナルコンピュータを構成する各部により実現される。
【００７２】
（操作部８１）
操作部８１は、図６に示すようにキーボードやマウス等の入力装置８１１にＣＲＴ等の表示装置８１２が組み合わされた装置により構成される。操作部８１は、作業者により操作され、解像度パターンテーブルに示された解像度パターンの選択に使用される。表示装置８１２に表示された解像度パターンテーブルのうち所望の解像度パターンが、入力装置８１１を用い作業者により選択される。
【００７３】
（送受信部８２）
送受信部８２は、入力部８ａを構成するパーソナルコンピュータの通信ポート等により構成される。送受信部８２は、ローカル通信線１１ａに接続される。送受信部８２は、ローカル通信線１１ａを介し、データの送受信を行う。送受信部８２のデータの送受信動作は、制御部８３により制御される。
【００７４】
送受信部８２は、ローカル通信線１１ａを介し復号化部５ａの記憶部５１から以下のデータを受信する。
解像度パターンテーブル
【００７５】
また、送受信部８２は、ローカル通信線１１ａ、通信中継部３ａ、通信回線９を介し電力監視制御装置２ｍに以下の信号を送信する。
リクエストエリアコマンドＣ１
解像度指定コマンドＣ２
【００７６】
（制御部８３）
制御部８３は、入力部８ａを構成するパーソナルコンピュータのＣＰＵにより構成される。制御部８３は、後述するコンピュータプログラムを内蔵する。制御部８３は、操作部８１、送受信部８２に接続される。制御部８３は、操作部８１、送受信部８２に対し、以下の演算および制御を行う。
【００７７】
（Ｂ１）操作部８１に対する制御
制御部８３は、復号化部５ａの記憶部５１から受信した解像度パターンテーブルを表示装置８１２に表示させるように操作部８１を制御する。
【００７８】
また、制御部８３は、作業者により入力装置８１１から入力された解像度パターン、リクエストエリアを操作部８１から受信する。解像度パターンは、表示装置８１２に表示された解像度パターンテーブルのうち所望のパターンが、作業者により入力装置８１１を用い、選択される。
【００７９】
（Ｂ２）送受信部８２に対する制御
制御部８３は、ローカル通信線１１ａを介し復号化部５ａの記憶部５１から解像度パターンテーブルを受信するように送受信部８２を制御する。
【００８０】
また、制御部８３は、ローカル通信線１１ａ、通信中継部３ａ、通信回線９を介し電力監視制御装置２ｍに以下の信号を送信するように送受信部８２を制御する。
リクエストエリアコマンドＣ１
解像度指定コマンドＣ２
【００８１】
（その他の部分）
電力監視制御装置２ａの通信中継部３ａ、記憶部４ａ、伝送制御部６ａ、表示部７ａ、ローカル通信線１１ａ、記憶部５１を除く復号化部５ａは、電力監視制御装置２共通の構成であり、通信中継部３、記憶部４、伝送制御部６、表示部７、ローカル通信線１１、復号化部５と同じである。
【００８２】
［１−２．作用］
次に、本実施形態の電力監視制御システム１の作用を、図１〜図９に基づき説明する。
【００８３】
［Ｏ．初期状態］
電力監視制御装置２ａは、対象エリアａに設置された受配電設備（図中不示）から受配電設備および電力系統の状態を受信し、対象エリアａの電力系統の映像情報Ｄ１ａを、逐次記憶部４ａに記憶するとともに表示部７ａに表示している。同様に電力監視制御装置２ｂは、対象エリアｂの電力系統の映像情報Ｄ１ｂを、逐次記憶部４ｂに記憶するとともに表示部７ｂに表示している。さらに電力監視制御装置２ｃは、対象エリアｃの電力系統の映像情報Ｄ１ｃを、逐次記憶部４ｃに記憶するとともに表示部７ｃに表示している。
【００８４】
電力監視制御装置２ｍは、バックアップ用の装置として使用されている。電力監視制御装置２ｍは、通信回線９を介し、電力監視制御装置２ａの記憶部４ａに記憶された映像情報Ｄ１ａ、電力監視制御装置２ｂの記憶部４ｂに記憶された映像情報Ｄ１ｂ、電力監視制御装置２ｃの記憶部４ｃに記憶された映像情報Ｄ１ｃを逐次受信し、記憶部４ｍに記憶している。
【００８５】
電力監視制御装置２ａの復号化部５ａの記憶部５１には、図５に示す解像度パターンテーブルが予め設定され記憶されている。前述のとおり図５に示す解像度パターンテーブルは、以下の情報がパターン化されたものである。
圧縮映像情報Ｄ２ｂの解像度
映像情報Ｄ１ａと圧縮映像情報Ｄ２ｂの表示の配置
圧縮映像情報Ｄ２ｂの解像度とは、圧縮映像情報Ｄ２ｂの画像データの分解能が数値にて表記されたものである。映像情報Ｄ１ａと圧縮映像情報Ｄ２ｂの表示の配置とは、表示部７ａを構成する表示器７０１ａ〜７１６ａにおける、映像情報Ｄ１ａおよび圧縮映像情報Ｄ２ｂの表示位置が図示されたものである。
【００８６】
［Ａ．電力監視制御システム１の動作］
一例として電力監視制御装置２ｍは、バックアップ用の装置として使用され、電力監視制御装置２ａが電力監視制御装置２ｍに記憶された映像情報Ｄ１ｂにかかる圧縮映像情報Ｄ２ｂを表示する場合について説明する。電力監視制御システム１において、電力監視制御装置２ａからの指示を受け、電力監視制御装置２ｍは、記憶部４ｍに記憶されている映像情報Ｄ１ｂを圧縮し、圧縮映像情報Ｄ２ｂとして電力監視制御装置２ａに送信する。送信された圧縮映像情報Ｄ２ｂは、電力監視制御装置２ａの表示部７ａに表示される。
【００８７】
上記のように、電力監視制御装置２ｂの電力系統の映像情報である圧縮映像情報Ｄ２ｂが電力監視制御装置２ａの表示部７ａに表示されることは、例えば、作業者が電力監視制御装置２ｂ近傍には不在であり、電力監視制御装置２ａの近傍にいる作業者により電力監視制御装置２ｂの電力系統の確認が行われる場合や、故障のため電力監視制御装置２ｂの表示部７ｂが表示不能となった場合等に必要とされる。以下に電力監視制御システム１各部の動作の詳細について説明する。
【００８８】
［Ｂ．電力監視制御装置２ａの入力部８ａの動作］
最初に、電力監視制御装置２ａにおいて入力部８ａが以下の動作を行う。電力監視制御装置２ａの入力部８ａは、図７に示すプログラムに従って動作を行う。以下に電力監視制御装置２ａの動作を図７に示すプログラムに沿って説明する。図７に示すプログラムは、入力部８ａの制御部８３に内蔵される。図７に示すプログラムは、制御部８３により、繰り返し実行される。
【００８９】
（ステップＲ０１：解像度パターンテーブルを受信する）
制御部８３は、送受信部８２により、ローカル通信線１１ａを介し復号化部５ａの記憶部５１から解像度パターンテーブルを受信する。解像度パターンテーブルは記憶部５１に予め設定記憶されている。前述のとおり解像度パターンテーブルは、以下の情報がパターン化されたものである。
圧縮映像情報Ｄ２ｂの解像度
映像情報Ｄ１ａと圧縮映像情報Ｄ２ｂの表示の配置
【００９０】
（ステップＲ０２：解像度パターンテーブルを表示する）
次に制御部８３は、ステップＲ０１にて受信した解像度パターンテーブルを操作部８１の表示装置８１２に表示させる。
【００９１】
（ステップＲ０３：解像度パターン、リクエストエリアが入力されたか判断する）
次に制御部８３は、操作部８１の入力装置８１１から解像度パターン、リクエストエリアが入力されたかの判断を行う。解像度パターンは、表示装置８１２に表示された解像度パターンテーブルに基づき、入力装置８１１を用いて作業者により選択され入力される。リクエストエリアとは、圧縮映像情報Ｄ２の送信をリクエストする対象となる電力監視制御装置２ａ、２ｂ、２ｃを区別するコードであり、入力装置８１１を用いて作業者により入力される。
【００９２】
解像度パターン、リクエストエリアが入力されたと判断した場合（ステップＲ０３のＹＥＳ）、制御部８３は、入力された解像度パターン、リクエストエリアを操作部８１から受信し、ステップＲ０４に移行する。解像度パターン、リクエストエリアが入力されたと判断しない場合（ステップＲ０３のＮＯ）、ステップＲ０１に移行し、解像度パターン、リクエストエリアの入力待ち状態となる。
【００９３】
（ステップＲ０４：リクエストエリアコマンドＣ１、解像度指定コマンドＣ２の送信を行う）
ステップＲ０３にて解像度パターン、リクエストエリアが入力されたと判断した場合、制御部８３は、入力された解像度パターンに基づき解像度指定コマンドＣ２を作成する。また、制御部８３は、入力されたリクエストエリアに基づきリクエストエリアコマンドＣ１を作成する。制御部８３は、送受信部８２により、ローカル通信線１１ａ、通信中継部３ａ、通信回線９を介し電力監視制御装置２ｍにリクエストエリアコマンドＣ１および解像度指定コマンドＣ２を送信する。
【００９４】
例えば、作業者により電力監視制御装置２ｂにかかる電力系統のエリアｂがリクエストエリアとして入力される。これにより、リクエストエリアコマンドＣ１は、電力監視制御装置２ｂの圧縮映像情報Ｄ２ｂをリクエストする。また、例えば、作業者により図５に示す解像度パターンテーブルに基づき、解像度として「圧縮映像情報Ｄ２ｂの解像度：５７６０×２１６０、映像情報Ｄ１ａの解像度９６００×２１６０」、表示の配置として「圧縮映像情報Ｄ２ｂの表示位置：表示器７０１ａ〜７０６ａの６面、映像情報Ｄ１ａの表示位置：７０７ａ〜７１６ａの１０面」を示すパターン３が入力される。これにより、解像度指定コマンドＣ２は、パターン３を指定する。
【００９５】
［Ｃ．電力監視制御装置２ｍの伝送制御部６ｍの動作］
電力監視制御装置２ｍは、通信中継部３ｍにより観測されたトラフィックに基づき、記憶部４ｍに記憶された電力監視制御装置２ｂの電力系統の映像情報Ｄ１ｂを圧縮して圧縮映像情報Ｄ２ｂを作成し、圧縮映像情報Ｄ２ｂを符号化して通信中継部３ｍ、通信回線９を介し電力監視制御装置２ａに送信する。
【００９６】
電力監視制御装置２ａから送信された解像度指定コマンドＣ２に基づき圧縮されたデータ量が、通信中継部３ｍにより観測されたトラフィックに基づき算出されたトラフィック余裕度Ｌ１以内のデータ量である場合は、圧縮映像情報Ｄ２ｂは、解像度指定コマンドＣ２に基づき、映像情報Ｄ１ｂが圧縮され作成される。
【００９７】
一方、電力監視制御装置２ａから送信された解像度指定コマンドＣ２に基づき圧縮されたデータ量が、通信中継部３ｍにより観測されたトラフィックに基づき算出されたトラフィック余裕度Ｌ１を超えるデータ量である場合は、圧縮映像情報Ｄ２ｂは、トラフィック余裕度Ｌ１以内のデータ量となるように、映像情報Ｄ１ｂが圧縮され作成される。
【００９８】
以下に、電力監視制御装置２ｍの動作の詳細について説明する。電力監視制御装置２ｍにおいて伝送制御部６ｍが以下の動作を行う。電力監視制御装置２ｍの伝送制御部６ｍは、図８に示すプログラムに従って動作を行う。図８に示すプログラムは、伝送制御部６ｍの制御部６４に内蔵される。図８に示すプログラムは、制御部６４により、繰り返し実行される。
【００９９】
（ステップＳ０１：リクエストエリアコマンドＣ１、解像度指定コマンドＣ２を受信したか判断する）
制御部６４は、通信回線９、通信中継部３ｍ、ローカル通信線１１ｍを介し送受信部６１が電力監視制御装置２ａからリクエストエリアコマンドＣ１、解像度指定コマンドＣ２を受信したかの判断を行う。
【０１００】
リクエストエリアコマンドＣ１、解像度指定コマンドＣ２を受信したと判断した場合（ステップＳ０１のＹＥＳ）、ステップＳ０２に移行する。リクエストエリアコマンドＣ１、解像度指定コマンドＣ２を受信したと判断しない場合（ステップＳ０１のＮＯ）、再びステップＳ０１に移行し、リクエストエリアコマンドＣ１、解像度指定コマンドＣ２の受信待ち状態となる。
【０１０１】
（ステップＳ０２：リクエストエリアコマンドＣ１指定の映像情報Ｄ１ｂを受信する）
ステップＳ０１にてリクエストエリアコマンドＣ１、解像度指定コマンドＣ２を受信したと判断された場合、制御部６４は、受信部６２によりローカル通信線１１を介し記憶部４ｍから、リクエストエリアコマンドＣ１により指定された電力監視制御装置２ｂの電力系統の映像情報Ｄ１ｂを受信する。
【０１０２】
（ステップＳ０３：映像情報Ｄ１ｂを記憶する）
次に、制御部６４は、ステップＳ０２にて受信した電力監視制御装置２ｂの電力系統の映像情報Ｄ１ｂを、記憶部６３に一時保存する。
【０１０３】
（ステップＳ０４：通信中継部３ｍからトラフィック監視情報Ｔ１を受信する）
次に、制御部６４は、送受信部６１によりローカル通信線１１を介し通信中継部３ｍからトラフィック監視情報Ｔ１を受信する。トラフィック監視情報Ｔ１は、通信回線９の通信信号の混雑状況を示す信号である。前述のとおりトラフィック監視情報Ｔ１は、以下の情報を含む。
受信トラフィックＴ１１
送信トラフィックＴ１２
受信トラフィックの使用率Ｔ１３
送信トラフィックの使用率Ｔ１４
送受信トラフィックの合計使用率Ｔ１５
エラーレートＴ１６
廃棄レートＴ１７
【０１０４】
（ステップＳ０５：トラフィック余裕度Ｌ１を算出する）
次に、制御部６４は、ステップＳ０４にて受信したトラフィック監視情報Ｔ１に基づきトラフィック余裕度Ｌ１を算出する。トラフィック余裕度Ｌ１は、下記に再掲する（式１）により算出される。
トラフィック余裕度Ｌ１（％）＝
１００（％）−送受信トラフィックの合計使用率Ｔ１５（％）  ・・・（式１）
【０１０５】
（ステップＳ０６：解像度指定コマンドＣ２に基づき圧縮したデータ量は、トラフィック余裕度Ｌ１以内のデータ量となるか判断する）
次に、制御部６４は、ステップＳ０２にて受信した解像度指定コマンドＣ２に基づき電力監視制御装置２ｂの電力系統の映像情報Ｄ１ｂを圧縮した場合、圧縮後のデータ量である圧縮映像情報Ｄ２ｂのデータ量が、ステップＳ０５にて算出されたトラフィック余裕度Ｌ１以内のデータ量となるかの判断を行う。
【０１０６】
圧縮後のデータ量が、トラフィック余裕度Ｌ１以内のデータ量となると判断した場合（ステップＳ０６のＹＥＳ）、ステップＳ０７に移行する。圧縮後のデータ量が、トラフィック余裕度Ｌ１以内のデータ量となると判断しない場合（ステップＳ０６のＮＯ）、ステップＳ０８に移行する。
【０１０７】
（ステップＳ０７：解像度指定コマンドＣ２に基づき映像情報Ｄ１ｂを圧縮する）
ステップＳ０６にて、圧縮後のデータ量がトラフィック余裕度Ｌ１以内のデータ量となると判断された場合、解像度指定コマンドＣ２に基づき電力監視制御装置２ｂの電力系統の映像情報Ｄ１ｂを圧縮し、電力監視制御装置２ｂの圧縮映像情報Ｄ２ｂを生成する。
【０１０８】
（ステップＳ０８：トラフィック余裕度Ｌ１に基づき映像情報Ｄ１ｂを圧縮する）
ステップＳ０６にて、圧縮後のデータ量がトラフィック余裕度Ｌ１以内のデータ量となると判断されない場合、圧縮後のデータ量が、ステップＳ０５にて算出されたトラフィック余裕度Ｌ１以内のデータ量となるように電力監視制御装置２ｂの電力系統の映像情報Ｄ１ｂを圧縮し、電力監視制御装置２ｂの圧縮映像情報Ｄ２ｂを生成する。
【０１０９】
（ステップＳ０９：圧縮映像情報Ｄ２ｂを符号化し、記憶部６３に一時保存する）
次に、制御部６４は、ステップＳ０７またはステップＳ０８にて生成された圧縮映像情報Ｄ２ｂを、通信回線９に対応したデータ形式に符号化する。符号化された圧縮映像情報Ｄ２ｂは記憶部６３に一時保存される。
【０１１０】
（ステップＳ１０：圧縮映像情報Ｄ２ｂを送信する）
次に、制御部６４は、ステップＳ０９にて符号化され、記憶部６３に一時保存された圧縮映像情報Ｄ２ｂを、送受信部６１からローカル通信線１１ｍ、通信中継部３ｍ、通信回線９を介し電力監視制御装置２ａに送信する。
【０１１１】
［Ｄ．電力監視制御装置２ａの復号化部５ａの動作］
次に、電力監視制御装置２ａにおいて復号化部５ａが以下の動作を行う。電力監視制御装置２ａの復号化部５ａは、図９に示すプログラムに従って動作を行う。図９に示すプログラムは、復号化部５ａに内蔵される。図９に示すプログラムは、復号化部５ａにより、繰り返し実行される。
【０１１２】
（ステップＲ１１：電力監視制御装置２ｍから圧縮映像情報Ｄ２ｂを受信したか判断する）
電力監視制御装置２ａの復号化部５ａは、電力監視制御装置２ｍから圧縮映像情報Ｄ２ｂを受信したかの判断を行う。電力監視制御装置２ｂの電力系統の映像情報Ｄ１ｂが圧縮されたデータである圧縮映像情報Ｄ２ｂは、電力監視制御装置２ｍから通信回線９、電力監視制御装置２ａの通信中継部３ａ、ローカル通信線１１ａを介し、復号化部５ａに送信される。
【０１１３】
圧縮映像情報Ｄ２ｂを受信したと判断した場合（ステップＲ１１のＹＥＳ）、ステップＲ１２に移行する。圧縮映像情報Ｄ２ｂを受信したと判断しない場合（ステップＲ１１のＮＯ）、再びステップＲ１１に移行し、圧縮映像情報Ｄ２ｂの受信待ち状態となる。
【０１１４】
（ステップＲ１２：圧縮映像情報Ｄ２ｂは、解像度指定コマンドＣ２に基づき圧縮されているか判断する）
ステップＲ１１にて、圧縮映像情報Ｄ２ｂを受信したと判断された場合、復号化部５ａは、ステップＲ１１にて受信した圧縮映像情報Ｄ２ｂが解像度指定コマンドＣ２に基づき圧縮されているかの判断を行う。
【０１１５】
圧縮映像情報Ｄ２ｂが解像度指定コマンドＣ２に基づき圧縮されていると判断した場合（ステップＲ１２のＹＥＳ）、ステップＲ１３に移行する。圧縮映像情報Ｄ２ｂが解像度指定コマンドＣ２に基づき圧縮されていると判断しない場合（ステップＲ１２のＮＯ）、ステップＲ１４に移行する。
【０１１６】
（ステップＲ１３：解像度指定コマンドＣ２に基づき圧縮映像情報Ｄ２ｂを復号化する）
ステップＳ１２にて、圧縮映像情報Ｄ２ｂが解像度指定コマンドＣ２に基づき圧縮されていると判断された場合、復号化部５ａは、解像度指定コマンドＣ２に基づき圧縮映像情報Ｄ２ｂを復号化する。
【０１１７】
（ステップＲ１４：圧縮された圧縮比に基づき圧縮映像情報Ｄ２ｂを復号化する）
ステップＳ１２にて、圧縮映像情報Ｄ２ｂが解像度指定コマンドＣ２に基づき圧縮されていないと判断された場合、復号化部５ａは、圧縮された圧縮比に基づき圧縮映像情報Ｄ２ｂを復号化する。ステップＳ１２にて、圧縮映像情報Ｄ２ｂが解像度指定コマンドＣ２に基づき圧縮されていないと判断された場合、圧縮映像情報Ｄ２ｂは、電力監視制御装置２ｍの伝送制御部６ｍのステップＳ０８にて、トラフィック余裕度Ｌ１に基づき圧縮されている。復号化部５ａは、圧縮された圧縮比に基づき圧縮映像情報Ｄ２ｂを復号化する。
【０１１８】
（ステップＲ１５：記憶部４ａから映像情報Ｄ１ａを受信する）
次に、復号化部５ａは、記憶部４ａから電力監視制御装置２ａの電力系統の映像情報Ｄ１ａを受信する。映像情報Ｄ１ａは、自所である電力監視制御装置２ａの電力系統の映像情報であり、圧縮されていない。
【０１１９】
（ステップＲ１６：圧縮映像情報Ｄ２ｂおよび映像情報Ｄ１ａを表示部７ａに表示する）
次に、復号化部５ａは、ステップＲ１３またはステップＲ１４にて復号化された圧縮映像情報Ｄ２ｂにかかる映像、およびステップＲ１５にて記憶部４ａから受信した映像情報Ｄ１ａにかかる映像を表示部７ａに表示させる。圧縮映像情報Ｄ２ｂにかかる映像、および映像情報Ｄ１ａにかかる映像は、表示部７ａに併せて表示される。
【０１２０】
圧縮映像情報Ｄ２ｂにかかる映像、および映像情報Ｄ１ａにかかる映像は、選択された解像度パターンテーブルの映像情報Ｄ１ａと圧縮映像情報Ｄ２ｂの表示の配置に従って表示される。
【０１２１】
その後、電力監視制御装置２ｍおよび電力監視制御装置２ａは、一連のプログラムを終了する。
【０１２２】
以上が、電力監視制御システム１の動作である。上記のように電力監視制御装置２ａの表示部７ａに、電力監視制御装置２ｂの圧縮映像情報Ｄ２ｂにかかる映像、および電力監視制御装置２ａの電力系統の映像情報Ｄ１ａにかかる映像の方法が、併せて表示される。
【０１２３】
［１−３．効果］
（１）本実施形態によれば、電力監視制御装置２ｍは、通信中継部３ｍにより観測されたトラフィックに基づき、記憶部４ｍに記憶された対象エリアの電力系統の映像情報Ｄ１をデータ圧縮して圧縮映像情報Ｄ２を作成し、圧縮映像情報Ｄ２を符号化して通信中継部３ｍを介して通信回線９に送信する伝送制御部６ｍと、を有し、電力監視制御装置２ａは、電力監視制御装置２ｍの伝送制御部６ｍから送信された、符号化された圧縮映像情報Ｄ２を復号化する復号化部５ａと、復号化部５ａにより復号化された、圧縮映像情報Ｄ２を表示する表示部７ａと、を有するので電力系統の映像情報の送信時間の遅延を軽減することができる電力監視制御システム１、電力監視制御装置２、電力監視制御装置用プログラムおよび電力監視制御方法を提供することができる。
【０１２４】
圧縮映像情報Ｄ２は、通信中継部３ｍにより観測されたトラフィックに基づき算出されたトラフィック余裕度Ｌ１以内のデータ量となるように、映像情報Ｄ１が圧縮され作成される。このため、通信回線９を占有している通信量が過大となることを軽減することができ、電力系統の映像情報Ｄ１の送信時間の遅延を軽減することができる。
【０１２５】
（２）電力監視制御装置２ａは、圧縮映像情報Ｄ２の解像度が入力される入力部８ａと、入力された解像度を、通信中継部３ａを介し通信回線９に送信し、電力監視制御装置２ｍの、通信中継部３ｍは、通信回線９に送信された解像度を受信し、この解像度に基づき映像情報Ｄ１を圧縮したデータが、トラフィックの余裕度Ｌ１以内である場合、伝送制御部６ｍは、解像度に基づき、対象エリアの電力系統の映像情報Ｄ１をデータ圧縮して圧縮映像情報Ｄ２を作成し、圧縮映像情報Ｄ２を符号化して通信回線９を介し電力監視制御装置２ａに送信する。
【０１２６】
このため、送信される圧縮映像情報Ｄ２は、トラフィック余裕度Ｌ１以内のデータ量であり、かつ作業者所望の解像度を有する。その結果、通信回線９を占有している通信量が過大となることを軽減することができ、電力系統の映像情報Ｄ１の送信時間の遅延を軽減することができる。
【０１２７】
（３）電力監視制御装置２ａの、入力部８ａには、複数のエリアの電力系統のうち対象となるエリアを指定するコマンドが入力され、電力監視制御装置２ｍに送信され、電力監視制御装置２ｍの記憶部４ｍは複数のエリアの電力系統の映像情報Ｄ１を記憶し、伝送制御部６ｍは、複数のエリアの電力系統のうち対象となるエリアの電力系統の映像情報Ｄ１をデータ圧縮して圧縮映像情報Ｄ２を作成し、符号化して通信回線９を介し電力監視制御装置２ａに送信するので、作業者は移動することなく一つの電力監視制御装置２ａの表示部７ａにより、複数個所の電力系統を圧縮映像情報Ｄ２にて確認することができる。これにより電力系統点検時等の作業者の移動時間を削減することができる。
【０１２８】
［２．他の実施形態］
変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【０１２９】
（１）上記実施形態では、圧縮映像情報Ｄ２ｂの解像度、映像情報Ｄ１ａと圧縮映像情報Ｄ２ｂの表示の配置がパターン化された解像度パターンテーブルが、電力監視制御装置２ａの復号化部５ａの記憶部５１に予め設定されており、作業者による解像度の入力部８ａへの入力は、表示装置８１２に表示された解像度パターンテーブルのうち所望の解像度パターンが、入力装置８１１を用い作業者により選択されるものであった。
【０１３０】
しかしながら、解像度の入力部８ａへの入力方法は、これに限られない。解像度パターンの入力部８ａへの入力方法は、以下のようなものであってもよい。例えば、映像情報Ｄ１ａと圧縮映像情報Ｄ２ｂの解像度、または、映像情報Ｄ１ａと圧縮映像情報Ｄ２ｂの表示の配置が、作業者により、図１０（ａ）に示すように数値にて直接、または図１０（ｂ）に示すように表示装置８１２に表示された表示器７０１ａ〜７１６ａの画像の任意の箇所をマウス等の入力装置８１１にてポイントアウトすることにより、入力部８ａの操作部８１に入力されるようにしてもよい。
【０１３１】
前記のステップＲ０４において、電力監視制御装置２ａの入力部８ａの制御部８３により、入力された映像情報Ｄ１ａと圧縮映像情報Ｄ２ｂの解像度、または、映像情報Ｄ１ａと圧縮映像情報Ｄ２ｂの表示の配置にかかる情報に基づき解像度指定コマンドＣ２が作成され、電力監視制御装置２ｍにリクエストエリアコマンドＣ１および解像度指定コマンドＣ２が送信される。
【０１３２】
このように構成することにより、予め設定された、解像度パターンテーブルにかかる圧縮映像情報Ｄ２ｂの解像度、映像情報Ｄ１ａと圧縮映像情報Ｄ２ｂの表示の配置のパターンにかかわらず、作業者により任意の映像情報Ｄ１ａと圧縮映像情報Ｄ２ｂの解像度、または、映像情報Ｄ１ａと圧縮映像情報Ｄ２ｂの表示の配置を設定することが可能となる。
【０１３３】
（２）上記実施形態では、電力監視制御システム１は、４つの電力監視制御装置２（２ｍ、２ａ、２ｂ、２ｃ）を有するものとしたが、電力監視制御装置２の数量は、これに限られない。また、電力監視制御装置２ｍは、バックアップ用に使用されるものとしたが、電力監視制御装置２ｍにより常時対象エリアの電力監視制御が行われるものであってもよい。
【０１３４】
（３）上記実施形態では、電力監視制御装置２を構成する各部は、電力監視制御装置２の内部に構成された部分として定義したが、各部の構成は、これに限られない。電力監視制御装置２を構成する各部は、それぞれ単体の装置により構成されるものであってもよい。
【０１３５】
（４）上記実施形態において、通信中継部３は、インターネットに対応したル−ターにより構成されるものとしたが、通信中継部３は、これに限られない。通信中継部３は、例えば無線電波や光通信に対応したものであってもよい。
【０１３６】
（５）上記実施形態では、表示部７は、１６枚の表示器７０１〜７１６により構成されるものとしたが、表示器の種類、枚数はこれに限られない。例えば、表示部７は、プラズマディスプレイにより構成されてもよい。また、表示部７は、１６枚より多い数または少ない数の表示器により構成されてもよい。
【０１３７】
（６）上記実施形態では、伝送制御部６ｍの送受信部６１、受信部６２、記憶部６３、制御部６４は、電力監視制御装置２ｍが固有に有するものであるものとしたが、電力監視制御装置２ａ、２ｂ、２ｃがこれらの構成を有するものであってもよい。
【０１３８】
（７）上記実施形態における、伝送制御部６ｍの送受信部６１、受信部６２、記憶部６３、制御部６４は、マイクロコンピュータのハードウェアにて実現されるものであってもよいしソフトウェアにより実現されるものであってもよい。例えば、伝送制御部６はカードスロットにより機能拡張されたマイクロコンピュータであってもよい。
【０１３９】
（８）上記実施形態では、復号化部５ａの記憶部５１、入力部８ａの操作部８１、送受信部８２、制御部８３は、電力監視制御装置２ａが固有に有するものであるものとしたが、電力監視制御装置２ｍ、２ｂ、２ｃがこれらの構成を有するものであってもよい。
【０１４０】
（９）上記実施形態では、電力監視制御装置２ａの表示部７ａに電力監視制御装置２ｂの圧縮映像情報Ｄ２ｂが表示される場合について説明したが、これに代替し、電力監視制御装置２ａの表示部７ａに電力監視制御装置２ｃの圧縮映像情報Ｄ２ｃが表示されてもよい。また、電力監視制御装置２ａの表示部７ａに複数の圧縮映像情報Ｄ２ｂ、Ｄ２ｃが表示されるようにしてもよい。
【０１４１】
（１０）上記実施形態では、トラフィック余裕度Ｌ１は、送受信トラフィックの合計使用率Ｔ１５に基づき算出されるものとしたが、トラフィック余裕度Ｌ１の算出方法は、これに限られない。トラフィック余裕度Ｌ１は、例えば下記の（式２）により算出されるものであってもよい。
トラフィック余裕度Ｌ１（％）＝
１００（％）−送受信トラフィックの合計使用率Ｔ１５（％）
−エラーレートＴ１６（％）−廃棄レートＴ１７（％）        ・・・（式２）
【符号の説明】
【０１４２】
１・・・電力監視制御システム
２、２ａ、２ｂ、２ｃ、２ｍ・・・電力監視制御装置
３、３ａ、３ｍ・・・通信中継部
４、４ａ、４ｍ・・・記憶部
５、５ａ、５ｍ・・・復号化部
６、６ａ、６ｍ・・・伝送制御部
７、７ａ、７ｍ・・・表示部
８、８ａ、８ｍ・・・入力部
９・・・通信回線
１１、１１ａ、１１ｍ・・・ローカル通信線
５１・・・記憶部
６１・・・送受信部
６２・・・受信部
６３・・・記憶部
６４・・・制御部
８１・・・操作部
８２・・・送受信部
８３・・・制御部
７０１〜７０６、７０１ａ〜７０６ａ、７０１ｍ〜７０６ｍ・・・表示器
８１１・・・入力装置
８１２・・・表示装置
【図１】
2019103368.tif 000003
【図２】
2019103368.tif 000004
【図３】
2019103368.tif 000005
【図４】
2019103368.tif 000006
【図５】
2019103368.tif 000007
【図６】
2019103368.tif 000008
【図７】
2019103368.tif 000009
【図８】
2019103368.tif 000010
【図９】
2019103368.tif 000011
【図１０】
2019103368.tif 000012